(57)【特許請求の範囲】
【請求項１】
研磨石および義歯を収納する義歯収納容器を傾斜して設け、この義歯収納容器を傾斜状態で回転駆動する容器回転機構を設けたことを特徴とする義歯洗浄器。
【請求項２】
研磨石および義歯を収納する義歯収納容器を設け、この義歯収納容器に前記研磨石を撹拌する羽根を設け、前記義歯収納容器内に義歯の浮き上がりを防止する部材を設けたことを特徴とする義歯洗浄器。
【発明の詳細な説明】
【０００１】
【産業の利用分野】
本発明は義歯洗浄器に関する。
【０００２】
【従来の技術】
従来より、義歯を使用する人は、普通就寝前あるいは起床後に歯ブラシと歯磨き剤を用いてブラシ洗浄を行っている。しかし、この洗浄行為は、手間がかかる上に、ブラッシングによって歯磨き剤や義歯に付着した汚れが周囲に飛散して非常に煩わしいものであった。このような不具合を考慮して、義歯を自動的に洗浄する義歯洗浄器が提案されており、例えば義歯を洗浄水に浸漬したまま、容器を密閉し、その容器を振動や擺動させることにより、又は、容器内の義歯を載置する基板を外部から、誘導磁界や駆動力を用いて回転や振動させて、義歯を洗浄水中でのブラシ毛体との不規則な衝突と摩擦を繰り返し、義歯表面を洗浄するように構成したものが特開平３−７１４７号公報で公知である。
【０００３】
【発明が解決しようとする課題】
上記従来技術のように、義歯を洗浄水に浸漬したまま、容器を密閉し、その容器を振動や擺動させたり、義歯を洗浄水中でのブラシ毛体との不規則な衝突と摩擦を繰り返すことにより義歯表面を洗浄するように構成したものは、義歯周面全体をきめ細かく洗浄するのが難しいという問題があった。
【０００４】
そこで本発明は、義歯周面全体をきめ細かく洗浄することができる義歯洗浄器を提供することを目的とする。
【０００５】
【課題を解決するための手段】
前記課題を解決するための本発明の義歯洗浄器は、研磨石および義歯を収納する義歯収納容器を傾斜して設け、この義歯収納容器を傾斜状態で回転駆動する容器回転機構を設けたことを特徴とするものである。また本発明の義歯洗浄器は、研磨石および義歯を収納する義歯収納容器を設け、この義歯収納容器に前記研磨石を撹拌する羽根を設け、前記義歯収納容器内に義歯の浮き上がりを防止する部材を設けたことを特徴とするものである。
【０００６】
【作用】
容器に収納された義歯はバレル研磨機構の駆動により、多数の研磨石によってきめ細かく洗浄される。
【０００７】
【実施例】
以下、本発明の実施例を添付図面を参照して説明する。図１および図２は本発明の第１実施例を示し、台座部１には有底円筒状の固定外筒２が開口部を上向きにして傾斜状に固定されている。固定外筒２の底部中央には前記台座部１に固定されたモータ３の減速ギヤ部４から出力された回転軸５が同軸方向に軸支されている。固定外筒２内には有底円筒状の回転内筒６が着脱可能に配置され、回転軸５と回転内筒６の底部中央部とが例えば図２に示すように係合部７を有する嵌合部８によって挿脱自在に一体的に連結されている。回転内筒６の全面には研磨石より小さな大きさの通孔９が多数設けられている。回転内筒６の開口部には回転内蓋１０がパッキン１１を介して着脱可能に螺着され、固定外筒２の開口部には固定外蓋１２がパッキン１１Ａを介し着脱可能に螺着されている。この固定外蓋１２の内面には軸支凸部１３が設けられ、回転内蓋１０には前記軸支凸部１３が嵌合する軸支凹部１４が設けられている。また、台座１内には制御ユニット１５が設けられ、これは電源投入後、モータ３を所定時間毎に正逆回転させ、一定時間後電源を遮断するためのモータ駆動回路、タイマ回路などから構成されている。図中１６は研磨石、１７は洗浄液を混入した水、１８はまりも状の研磨ブラシ、１９は義歯である。なお、電源は充電可能な電池を用いたり、電気コードを設けたりすればよい。上記構成につき、その作用を説明すると、回転内筒６内に多数の研磨石１６および研磨ブラシ１８が収納された状態において、例えば就寝前に、容器である回転内筒６内に義歯１９とともに洗浄液を混入した水１７を収納し、回転内蓋１０および固定外蓋１２を順次閉蓋して、電源を投入すると、傾斜状の回転内筒６は所定時間毎に正逆回転を繰り返し一定時間毎に自動停止する。これにより、回転内筒６内の義歯１９は不規則に回転しながら不規則に流動する研磨石１６によって、全周面がきめ細かく洗浄されるとともに、研磨石の選定により、艶出しされた義歯を得ることもできる。さらに、洗浄液，洗浄剤を用いることにより殺菌，脱臭の効果を得ることもできる。また、脱臭，消毒剤を含有する研磨石を用いることにより、研磨石によって、洗浄，艶出し，殺菌，脱臭の効果を得ることもできる。また本実施例では洗浄液による洗浄効果および正逆回転による水１７の乱流によって一層良好に洗浄される。使用者は、起床後に固定外蓋１２を離脱して回転内筒６を固定外筒２から取り出し、回転内蓋１０を離脱して洗浄済みの義歯１９を取り出すとともに、回転内筒６を水道水により洗浄し、固定外筒１２内の水１７を排水してから初めの状態にセットする。なお、内筒は研磨石により研磨されにくい軟質樹脂で製作することが好ましいが、合成樹脂、金属、ゴムなどを適宜選択すればよい。図３は本発明の第２実施例であり、上記実施例と同一部分には同一符号を用い、同一箇所の説明を省略して説明すると、本実施例では台座部１に第１実施例と同様な二重筒構造が傾動可能に設けられている。また本実施例では、軸支凹，凸部がアール面状をなし、モータ３は外筒側に固定されて台座部に対して自由になっている。二重筒構造を傾動させるための筒傾動機構２０は、傾動外筒２Ａの中央下部を台座部１側に傾動可能に軸支する枢支部２１と、台座部１側に固定されたモータ２２と、この回転軸２３に固定された回転板２４と、回転板２４の外方位置に設けられたリンクアーム２５と、傾動外筒２Ａの下方に設けられたリンク案内枠２６とからなっている。制御ユニット１５Ａはモータ３に対し第１実施例と同様に制御するとともにモータ２２が電源投入から一定時間、一方向に連続回転するように制御する。従って、本実施例では、第１実施例の筒動作に加えて二重筒構造が全体的に右回り、および左回りに順次傾動するため、回転内筒６内の義歯１９は筒６内を全体的に移動回転しながら、一層きめ細かく洗浄される。図４は本実施例の第３実施例であり、上記実施例と同一部分には同一符号を用い、同一箇所の説明を省略して説明すると、本実施例では筒傾動機構２０の他の例を示しており、この例では傾動外筒２Ａを軸支する軸支部２１を傾動外筒２Ａの上方一側に設けて自重により右回りに傾くように構成され、これをモータ２２により回転する偏心カム２７で規制しており、第２実施例と同様な作用，効果が得られる。また、本実施例では回転内蓋１０にも通孔９が設けられているとともに、回転内筒６の底部に設けられた内歯ギア部２８とモータ３の回転軸２９に設けられたギア３０との嵌合により挿脱自在な減速ギア構造を構成している。図５は本発明の第４実施例であり、プラスチックからなる有底の固定外筒４５の内底部には凹状の駆動室４６が形成され、この駆動室４６の周囲にはボールベアリング４７が設けられ、さらに上面開口部には蓋体４８が設けられ、蓋体４８の下面中央に球面状の凸部４９が形成されている。前記固定外筒４５内にはプラスチックからなる有底の回転内筒５０が出し入れ可能に設けられ、前記ボールベアリング４７と案内条溝５１とにより回転可能に支持されている。また回転内筒５０の底部中央には内筒セット時の位置決め用としての軸支凹部５２が形成されている。また回転内筒５０の上面開口部には蓋体５３がパッキン５４を介して設けられているとともに、蓋体５３の上面に設けられた凹部５５と前記凸部４９との嵌合により回動可能に支持されている。また内筒５０の底部中央にはリング状の従動用磁石５６が内在している。前記駆動室４６には底部中央にモータ５７が固定され、この駆動軸５８には円盤状の保持部材５９と第１ギヤ６０が上下に固定され、保持部材５９には前記従動用磁石５６に対応してリング状の駆動用磁石６１が固定され、また駆動軸５８の上端部は前記軸支凹部５２に挿入されている。また駆動室４６の底部には前記モータ５７の周囲に位置して回転軸６２が軸支されており、各回転軸６２には棒状の磁石６３と第２ギヤ６４とが上下に設けられ、この第２ギヤ６４は前記第１ギヤ６０に噛合している。内筒５０内には洗浄液１７、研磨石１６、金属４３および義歯１９が収容されている。そして、モータ５７の駆動により駆動用磁石６１が回転し、同時にこれに吸引する従動用磁石５６が回転することによって回転内筒５０はボールベアリング４７を介して回転する。さらに第１ギア６０と第２ギヤ６４を介して各磁石６３は内筒５０と逆方向に回転する。従って、研磨石１６に混入している金属球４３が磁石６３による吸引力により内筒５０内を移動して研磨石４１を撹拌する作用に併せて内筒５０がこれとは逆方向に回転するため、一層研磨石１６の移動が激しくなり義歯１９はきめ細かく研磨され洗浄されることになる。また、洗浄器を台座６５の凹所６６にセットすることにより傾斜させて使用できるようにしたものであり、さらに回転内筒５０の周面に多数の通孔６７を設け、駆動軸５８の上端に軸筒６８を遊転可能に被嵌し、駆動室４６を前記軸筒６８に固定した仕切板６９により区画している。そして、洗浄液１７が外筒４５まで収容された状態で内筒５０が傾斜状態で回転することにより、渦水流が発生することによる研磨作用が付加される。図６は本発明の第５実施例を示し、この例では台座７４に蓋体７５を有する容器７６が着脱可能にセットされている。容器７６中央にはモータ７７が設けられ、駆動軸７８が台座７４の上面に突出している。容器７６の底部中央には回転軸７９が軸支部８０を介して設けられ、回転軸７９には羽根８１が形成されている。回転軸７９の下端には前記駆動軸７８が回り止め状態で係入する凹部８２が形成されている。また回転軸７９には義歯１９の浮き上がりを防止する網状の受体８３が取付筒８４を挿着することにより設けられている。そして研磨石１６をライン８５まで収容し、義歯１９の人工歯８６を研磨石１６内に沈めた状態で受体８３により浮き上がりを抑制した状態で洗浄液１７を入れてモータ７７を駆動すると、回転軸７９の回転に伴い羽根８１により義歯１９が研磨石１６に沈んだ状態のまま移動して洗浄される。なお、本発明は上記実施例に限定されるものでなく、本発明の要旨の範囲内において適宜変形実施が可能である。例えば第１，第４実施例において筒の傾斜角度は適宜選定すればよく、また第２，３実施例において傾斜角可変範囲や筒傾動機構の構造は適宜選定すればよい。内，外筒は円筒状のものを示したが断面多角形などの角筒でもよく、また通孔を設けなくてもよく、筒一重構造でもよい。また、研磨材の種類は適宜選定すればよく、また研磨材としてクルミの割片を用いてもよい。また研磨ブラシおよび洗浄液は必要に応じて使用すればよい。また、筒の回転，傾動などの動作の仕方は適宜選定すればよい。また第４，第５実施例において磁石の回転速度は適宜選定すればよく、またモータは正逆回転させてもよい。
【０００８】
【発明の効果】
本発明は義歯収納容器にバレル研磨機構を備えたものであり、義歯周面全体をきめ細かく洗浄することができる義歯洗浄器を提供できる。
【図面の簡単な説明】
【図１】  第１実施例の義歯洗浄器を示す縦断面図である。
【図２】  図１の要部の断面図である。
【図３】  第２実施例の義歯洗浄器を示す縦断面図である。
【図４】  第３実施例の義歯洗浄器を示す縦断面図である。
【図５】  第４実施例の義歯洗浄器を示す縦断面図である。
【図６】  第５実施例の義歯洗浄器を示す縦断面図である。
【符号の説明】
６，５０  内筒（義歯収納容器）
３，２２，５７，７７  モータ（容器回転機構）
１６  研磨石
１９  義歯
８１  羽根
８３  受体（義歯の浮き上がりを防止する部材）
【図１】
0003639932.tif 000002
【図２】
0003639932.tif 000003
【図３】
0003639932.tif 000004
【図４】
0003639932.tif 000005
【図５】
0003639932.tif 000006
【図６】
0003639932.tif 000007